(57)【要約】【課題】隔壁を設ける場合であっても、配線からの電場や、配線による段差のために表示に悪影響を及ぼさず、かつ、表示コントラストの低下を防止する。【解決手段】各画素回路Ｐを形成する画素電極５１が形成された第１基板と、画素電極５１と対向し、各画素回路Ｐに共通する共通電極が形成された第２基板と、第１基板側から第２基板側に向けて突出し、第１基板と第２基板とに挟まれた空間を複数の単位空間に区画する隔壁とを備え、単位空間には、複数の画素回路Ｐに対応する複数の画素電極５１が配置されている。【選択図】図２
2016136176.tif 000002
【特許請求の範囲】
【請求項１】
複数の第１電極が配置された第１基板と、
前記画素電極に対向する第２電極が配置された第２基板と、
前記第１基板と前記第２基板との間の空間を単位空間に区画する隔壁と、を備え
前記単位空間において、複数の前記第１電極が配置されている、
ことを特徴とする隔壁型表示装置。
【請求項２】
前記単位空間は、平面視で矩形形状に区画されている、
ことを特徴とする請求項１に記載の隔壁型表示装置。
【請求項３】
前記単位空間は、平面視でハニカム形状に区画されており、前記第１電極は、平面視で三角形状である、
ことを特徴とする請求項１に記載の隔壁型表示装置。
【請求項４】
隣り合う前記単位空間のデータ線は、前記隔壁の平面視で前記隔壁と重なる位置に配置されている、
ことを特徴とする請求項１乃至請求項３のいずれか一に記載の隔壁型表示装置。
【請求項５】
隣り合う前記単位空間の走査線は、前記隔壁の平面視で前記隔壁と重なる位置に配置されている、
ことを特徴とする請求項１乃至請求項４のいずれか一に記載の隔壁型表示装置。
【請求項６】
請求項１乃至請求項５のいずれか一に記載の隔壁型表示装置を備える電子機器。
【発明の詳細な説明】
【技術分野】
【０００１】
本発明は、隔壁型表示装置、及び電子機器に関する。
【背景技術】
【０００２】
マトリックス状に配置された表示素子を順次選択し、所定の機能を発揮させるように動作させる電気光学装置の一例として、電気泳動表示装置が一般に普及し始めている。電気泳動とは、例えば、液体（分散媒）中に帯電微粒子を分散させた分散液に電場を与えると、帯電微粒子が液体中で移動（泳動）する現象である。電気泳動表示装置は、この電気泳動を利用して所望の情報（画像）を表示させる。
帯電微粒子を分散させた分散液を封入する方式としては、マイクロカプセルの内部に分散液を封入させる方式の他、１画素ごとに隔壁を形成し、隔壁で囲まれたセル内に前記分散液を封入させる方式が提案されている（例えば、引用文献１）。
【先行技術文献】
【特許文献】
【０００３】
【特許文献１】特開２０１０−２５６５６０号公報
【発明の概要】
【発明が解決しようとする課題】
【０００４】
しかし、特許文献１の装置では、隔壁と制御基板の相対位置関係が規定されておらず、配線からの電場が表示に悪影響を及ぼす場合がある。また、１画素ごとに隔壁を設ける場合には、表示面から見ると、隔壁が表示面に占める面積の割合が大きく、表示コントラストが低下するという課題があった。
本発明は、前記の事情を鑑みて成されたものであり、隔壁を設ける場合であっても、配線からの電場や、配線による段差のために表示に悪影響を及ぼさず、かつ、表示コントラストを低下させない隔壁型表示装置を実現することを解決課題の一つとする。
【課題を解決するための手段】
【０００５】
以上の課題を解決するため、本発明の一態様に係る隔壁型表示装置は、複数の第１電極が配置された第１基板と、前記画素電極に対向する第２電極が配置された第２基板と、前記第１基板と前記第２基板との間の空間を単位空間に区画する隔壁と、を備え前記単位空間において、複数の前記第１電極が配置されている、ことを特徴とする。
【０００６】
この態様によれば、第１基板と第２基板とに挟まれた空間は、隔壁によって複数の単位空間に区画され、単位空間には、複数の画素に対応する複数の第１電極が配置される。したがって、１画素ごとに隔壁が形成される場合に比べて、平面視において、隔壁が表示面に占める面積の割合が小さくなり、表示コントラストの低下を防ぐ。なお、この態様において、「隔壁型表示装置」は、液晶表示装置、有機ＥＬ表示装置、無機ＥＬ表示装置、電気泳動表示装置、エレクトロクロミック表示装置等を含む概念である。
【０００７】
本発明の他の態様に係る隔壁型表示装置は、前記単位空間は、平面視で矩形形状に区画されていることを特徴とする。この態様によれば、矩形形状に形成された区画に複数の画素が配置されることになり、１画素ごとに隔壁が形成される場合に比べて、平面視において、隔壁が表示面に占める面積の割合が小さくなり、表示コントラストの低下を防ぐ。
【０００８】
本発明の他の態様に係る隔壁型表示装置は、前記単位空間は、平面視でハニカム形状に区画されており、前記第１電極は、平面視で三角形状であることを特徴とする。この態様によれば、ハニカム形状に形成された区画に複数の画素に対応する三角形状の第１電極が配置されることになり、１画素ごとに隔壁が形成される場合に比べて、平面視において、隔壁が表示面に占める面積の割合が小さくなり、表示コントラストの低下を防ぐ。
【０００９】
本発明の他の態様に係る隔壁型表示装置は、隣り合う前記単位空間のデータ線は、前記隔壁の平面視で前記隔壁と重なる位置に配置されていることを特徴する。この態様によれば、データ線が隔壁で隠れることになり、データ線からの電場の影響が緩和され、表示ムラが抑制される。
【００１０】
本発明の他の態様に係る隔壁型表示装置は、隣り合う前記単位空間の走査線は、前記隔壁の平面視で前記隔壁と重なる位置に配置されていることを特徴する。この態様によれば、走査線が隔壁で隠れることになり、走査線からの電場の影響が緩和され、表示ムラが抑制される。
【００１１】
次に、本発明に係る隔壁型表示装置は、上述した本発明に係る隔壁型表示装置を備える。そのような電子機器は、表示コントラストの低下を防ぎ、表示ムラを抑制することができる。なお、電子機器は、タブレット、電子ブック、スマートフォン等を含む概念である。
【図面の簡単な説明】
【００１２】
【図１】本発明の第１実施形態に係る電気光学装置の主要構成を示すブロック図。
【図２】画素回路の構成例を示す図。
【図３】表示部の断面図。
【図４】画素回路と各画素回路に接続されたデータ線及び走査線と隔壁とを示す図。
【図５】各画素回路の画素電極、選択スイッチ、保持容量、配線、及び隔壁のレイアウトを示す図。
【図６】図５におけるＡ−Ａ’線断面図。
【図７】本発明の第２実施形態における画素回路と隔壁を示す図。
【図８】本発明の第２実施形態における画素回路と隔壁を示す図。
【図９】本発明の第３実施形態における画素回路と隔壁を示す図。
【図１０】本発明の第３実施形態における画素回路と隔壁とデータ線とを示す図。
【図１１】電子機器（情報端末）の斜視図。
【図１２】電子機器（電子ペーパー）の斜視図。
【図１３】従来の画素回路と隔壁を示す図。
【発明を実施するための形態】
【００１３】
＜第１実施形態＞
以下、本発明の第１実施形態について説明する。
図１は、本発明の第１実施形態に係る電気光学装置の一例としての電気泳動表示装置１００の主要構成を示す図である。同図に示すように、電気泳動表示装置１００は、電気泳動パネル１０と、制御回路２０と、を備える。
【００１４】
電気泳動パネル１０は、複数の画素回路Ｐが配列された表示部３０と、各画素回路Ｐを駆動する駆動部４０と、を備える。駆動部４０は、走査線駆動回路４２と、データ線駆動回路４４とを備える。
制御回路２０は、上位装置から供給される映像信号や同期信号などに基づいて、電気泳動パネル１０の各部を統括的に制御する。
【００１５】
表示部３０には、Ｘ方向に延在するｍ本の走査線３２と、Ｙ方向に延在して走査線３２に交差するｎ本のデータ線３４とが形成される（ｍ，ｎは自然数）。複数の画素回路Ｐは、走査線３２とデータ線３４との交差に配置されて縦ｍ行×横ｎ列の行列状に配列される。第１列の画素回路Ｐと第２列の画素回路Ｐとの間にはデータ線３４が配置されず、第２列の画素回路Ｐに接続されたデータ線３４は、第３列の画素回路Ｐに接続されたデータ線３４と隣り合う位置に配置される。以下同様に、偶数列の画素回路Ｐに接続されたデータ線３４は、その次の奇数列の画素回路Ｐに接続されたデータ線３４と隣り合う位置に配置される。また、第１行の画素回路Ｐと第２行の画素回路Ｐとの間には走査線３２が配置されず、第２行の画素回路Ｐに接続された走査線３２は、第３行の画素回路Ｐに接続された走査線３２と隣り合う位置に配置される。以下同様に、偶数行の画素回路Ｐに接続された走査線３２は、その次の奇数行の画素回路Ｐに接続された走査線３２と隣り合う位置に配置される。
【００１６】
図２は、画素回路Ｐの構成例を示す図である。図２においては、第ｉ行（１≦ｉ≦ｍ）の第ｊ列目（１≦ｊ≦ｎ）に位置する１個の画素回路（画素）Ｐのみを図示している。同図に示すように、画素回路Ｐは、電気泳動素子５０と、選択スイッチＴsと、保持容量Ｃｈとを含む。
【００１７】
選択スイッチＴsは、Ｎ−ＭＯＳ（Negative Metal Oxide Semiconductor）で構成されている。選択スイッチＴsのゲート部には走査線３２、ソース側にはデータ線３４、ドレイン側には保持容量Ｃｈ及び画素電極５１がそれぞれ接続されている。選択スイッチＴsは、走査線駆動回路４２から走査線３２を介して走査信号が入力される期間中、データ線３４と保持容量Ｃｈ及び画素電極５１とを接続させることによって、データ線駆動回路４４からデータ線３４を介して入力されるデータ信号を保持容量Ｃｈ及び画素電極５１とに入力させるために用いられる。
【００１８】
保持容量Ｃｈは、図２に示すように電極Ｌ１と電極Ｌ２とを有する。電極Ｌ１は、画素電極５１及び選択スイッチＴsに接続され、電極Ｌ２はＧＮＤに接続される。保持容量Ｃｈは、選択スイッチＴsから送られたデータ信号を保持するために用いられる。
【００１９】
表示素子の一例としての電気泳動素子５０は、図２に示すように、向かい合う画素電極５１及び共通電極５２と、画素電極５１と共通電極５２との間に配置された複数の隔壁５４と、隔壁５４によって区切られた空間に封入された分散液５３とを含む。本実施形態では、共通電極５２側が観察側の電極である。なお、共通電極は、画素電極５１に対向する電極であるため対向電極とも称されるが、本実施形態では共通電極として説明する。
画素電極５１は、選択スイッチＴsのドレイン側に接続される。また、共通電極５２は、接地電位ＧＮＤ（０Ｖ）が供給される給電線６０に接続され、接地電位ＧＮＤに維持される。
【００２０】
図３は電気泳動素子５０の断面図である。図３に示すように電気泳動素子５０は、素子基板２７と、絶縁膜２８と、画素電極５１と、隔壁５４と、分散液５３と、共通電極５２と、対向基板２９とを備える。
素子基板２７は、ガラスやプラスチック等からなる基板であり、表示面とは反対側に配置されるため透明なものでなくてもよい。素子基板２７上には絶縁膜２８が形成されており、絶縁膜２８上には、各画素に対応した複数の画素電極５１が形成されている。
【００２１】
画素電極５１は、Ｃｕ箔上にニッケルめっきと金めっきとをこの順で積層した電極であり、Ａｌ、ＩＴＯ（インジウム錫酸化物）などにより形成された電極も用いることが可能である。図示は省略しているが、画素電極５１と素子基板２７との間には、走査線３２、データ線３４、及び選択スイッチＴｓなどが形成されている。
対向基板２９は、ガラスやプラスチック等からなる基板であり、表示側に配置されるため透明基板とされる。対向基板２９の分散液５３側には複数の画素電極５１と対向する平面形状の共通電極５２が形成されている。共通電極５２は、ＭｇＡｇ、ＩＴＯ、ＩＺＯ（インジウム・亜鉛酸化物）などから形成された透明電極である。
【００２２】
素子基板２７と対向基板２９との間には、隔壁５４が形成されている。隔壁５４は、各画素電極５１に対応して設けられる画素（画素領域）Ｇを区画するものである。隔壁５４の材料としては、例えばアクリル樹脂やエポキシ樹脂が用いられる。隔壁５４は、偶数列であるｊ列（２≦ｊ≦ｎ）の画素の画素電極５１と、奇数列であるｊ+１列（２≦ｊ≦ｎ）の画素の画素電極５１との間の位置に設けられる。また、隔壁５４は、偶数行であるｉ行（２≦ｉ≦ｍ）の画素の画素電極５１と、奇数行であるｉ+１行（２≦ｉ≦ｍ）の画素の画素電極５１との間の位置に設けられる。つまり、隔壁５４は、表示面側から見ると格子形状に形成されている。なお、図３に示す隔壁５４は、表示面に垂直な方向から平面視したときに網状に構成しているが、画素電極５１の側、あるいは共通電極５２の側が隔壁５４と同一な部材で塞がった構成であっても良い。例えば画素電極５１の側が塞がった構成として、画素電極５１の上面を隔壁５４と同一材料で覆う構成、すなわち断面視で凹形状に構成しても良い。また、隔壁５４は共通電極５２と接しているが、対向基板２９と接する構成であっても良い。また、共通電極５２と隔壁５４との間に他の部材を配置しても良い。
【００２３】
分散液５３は、前記隔壁５４によって区画された単位空間としての画素領域Ｇに封入される。分散液５３は、分散媒５５中に分散された複数の白色粒子５６及び黒色粒子５７を含む。
分散媒５５としては、水、アルコール系溶媒（メタノール、エタノール、イソプロパノール、ブタノール、オクタノール、メチルセルソルブなど）、エステル類（酢酸エチル、酢酸ブチルなど）、ケトン類（アセトン、メチルエチルケトン、メチルイソブチルケトンなど）、脂肪族炭化水素（ぺンタン、ヘキサン、オクタンなど）、脂環式炭化水素（シクロへキサン、メチルシクロへキサンなど）、芳香族炭化水素（ベンゼン、トルエン、キシレン、長鎖アルキル基を有するベンゼン類（ヘキシルベンゼン、ヘプチルベンゼン、オクチルベンゼン、ノニルベンゼン、デシルベンゼン、ウンデシルベンゼン、ドデシルベンゼン、トリデシルベンゼン、テトラデシルベンゼンなど））、ハロゲン化炭化水素（塩化メチレン、クロロホルム、四塩化炭素、１，２−ジクロロエタンなど）などを例示することができ、その他の油類であってもよい。これらの物質は単独又は混合物として用いることができ、さらに、カルボン酸塩のような界面活性剤などを配合してもよい。
【００２４】
白色粒子５６は、例えば、二酸化チタン、亜鉛華、三酸化アンチモン等の白色顔料からなる粒子（高分子あるいはコロイド）であり、例えば負に帯電されて用いられる。黒色粒子５７は、例えば、アニリンブラック、カーボンブラック等の黒色顔料からなる粒子（高分子あるいはコロイド）であり、例えば正に帯電されて用いられる。これらの顔料には、必要に応じ、電解質、界面活性剤、金属石鹸、樹脂、ゴム、油、ワニス、コンパウンドなどの粒子からなる荷電制御剤、チタン系カップリング剤、アルミニウム系カップリング剤、シラン系カップリング剤等の分散剤、潤滑剤、安定化剤などを添加することができる。
また、白色粒子５６及び黒色粒子５７に代えて、例えば赤色、緑色、青色などの顔料を用いてもよい。この構成によれば、赤色、緑色、青色などを表示することでカラー表示を行うことができる電気泳動表示装置１００を提供できる。
【００２５】
電気泳動表示装置１００は、白表示を行う場合、共通電極５２を相対的に高電位、画素電極５１を相対的に低電位に保持する。これにより、負に帯電した白色粒子５６が共通電極５２に引き寄せられ、正に帯電した黒色粒子５７が画素電極５１に引き寄せられる。その結果、表示面側となる対向基板２９側からこの画素領域Ｇを見ると、白色が認識されることなり、電気泳動表示装置１００は白色表示を行うことができる。
【００２６】
また、電気泳動表示装置１００は、黒表示の場合、共通電極５２を相対的に低電位、画素電極５１を相対的に高電位に保持する。これにより、正に帯電した黒色粒子５７が共通電極５２に引き寄せられ、負に帯電した白色粒子５６が画素電極５１に引き寄せられる。その結果、表示面側となる対向基板２９側からこの画素領域Ｇを見ると黒色が認識されることとなり、電気泳動表示装置１００は黒色表示を行うことができる。
【００２７】
このような構成に基づき、電気泳動表示装置１００は、各画素領域Ｇにおいて画素電極５１及び共通電極５２間で所定の電圧を印加することで分散液５３中の白色粒子５６及び黒色粒子５７を対向基板２９側に移動させることで画素領域Ｇごとに白黒表示をし、全体として所望の画像を表示できるようになっている。
【００２８】
説明を図１に戻す。走査線駆動回路４２は、走査信号ＧW[１]〜ＧW[ｍ]を各走査線３２に出力する。ここでは、第ｉ行の走査線３２に出力される走査信号をＧW[ｉ]と表記する。走査線駆動回路４２が、走査信号ＧW[ｉ]を所定期間だけアクティブレベル（ハイレベル）に設定することにより、第ｉ行に属するｎ個の画素回路Ｐの選択スイッチＴsが一斉にオン状態に変化する。走査信号ＧW[ｉ]のハイレベルへの移行は第ｉ行の走査線３２の選択を意味する。また、走査線駆動回路４２は、通常は走査線３２を一つずつ選択してハイレベルの電圧を印加するが、必要に応じて全ての走査線３２を同時に選択してハイレベルの電圧を印加する機能を有している。さらに、走査線駆動回路４２は、特定の走査線３２のみを順次選択してハイレベルの電圧を印加する機能を有している。
【００２９】
データ線駆動回路４４は、走査線駆動回路４２が選択した１行分（ｎ個）の画素回路Ｐに対応するデータ信号Ｖｘ[１]〜Ｖｘ[ｎ]を生成して各データ線３４に出力する。ここでは、第ｊ列目のデータ線３４に出力されるデータ信号をＶｘ[ｊ]と表記する。
ここで、第ｉ行の第ｊ列目に位置する画素回路Ｐに対してデータ信号Ｖｘが供給される場合を想定する。この場合、データ線駆動回路４４は、走査線駆動回路４２が第ｉ行の走査線３２を選択するタイミングに同期して、当該画素回路Ｐに対して指定された階調（「指定階調」）に応じた大きさの電圧信号をデータ信号Ｖｘ[ｊ]として第ｊ列目のデータ線３４に出力する。また、データ線駆動回路４４は、必要に応じて全てのデータ線３４をハイインピーダンスにする機能も有している。
【００３０】
当該データ信号Ｖｘ[ｊ]は、オン状態の選択スイッチＴs（図２参照）を介して、当該画素回路Ｐの画素電極５１に供給される（書き込まれる）。これにより、当該画素回路Ｐの電気泳動素子５０の両端間の電圧（画素電極５１と共通電極５２との間の電圧）が、当該画素回路Ｐの指定階調に応じた値に設定される。
このように、駆動部４０は、第ｉ行の走査線３２を選択すると共に、第ｉ行の第ｊ列目に位置する画素回路Ｐの指定階調に応じた大きさのデータ信号Ｖｘ[ｊ]を第ｊ列目のデータ線３４に出力する。この動作を、当該画素回路Ｐに対するデータ信号Ｖｘ[ｊ]の書込動作と称する。
【００３１】
次に、本実施形態における隔壁の構成について詳しく説明する。図４は、画素回路Ｐ及びデータ線３４並びに走査線３２と隔壁５４との関係を示す図である。
図４は、偶数行である第ｉ行（２≦ｉ≦ｍ）、偶数列である第ｊ列目（２≦ｊ≦ｎ）に位置する画素回路Ｐから、第ｉ＋３行（２≦ｉ≦ｍ）の第ｊ＋３列目（２≦ｊ≦ｎ）に位置する画素回路Ｐまでの１６個の画素回路Ｐと、各画素回路Ｐに接続されたデータ線３４及び走査線３２と、隔壁５４を表示面側から見た図である。また、図４においては、理解を容易にするために、隔壁５４の上方にデータ線３４及び走査線３２が位置するように描いているが、実際には、データ線３４及び走査線３２は、隔壁５４の下方、つまり、表示面側から見て隔壁５４に隠れる位置に設けられている。なお、以下の説明では、第ｐ行，第ｑ列の画素回路Ｐを、画素回路Ｐ（ｐ，ｑ）と記載することとする。
【００３２】
図４に示すように、画素回路Ｐ（ｉ＋１，ｊ＋１），画素回路Ｐ（ｉ＋１，ｊ＋２），画素回路Ｐ（ｉ＋２，ｊ＋１），画素回路Ｐ（ｉ＋２，ｊ＋２）の４個の画素回路Ｐは、隔壁５４によって区画された画素領域Ｇ内に配置されている。つまり、画素領域Ｇ内に画素回路Ｐ（ｉ＋１，ｊ＋１），画素回路Ｐ（ｉ＋１，ｊ＋２），画素回路Ｐ（ｉ＋２，ｊ＋１），画素回路Ｐ（ｉ＋２，ｊ＋２）のそれぞれの画素電極５１が配置され、さらには分散液５３が収容される。そして、画素領域Ｇは、各画素回路Ｐに共通の共通電極５２に覆われて画素回路Ｐ（ｉ＋１，ｊ＋１），画素回路Ｐ（ｉ＋１，ｊ＋２），画素回路Ｐ（ｉ＋２，ｊ＋１），画素回路Ｐ（ｉ＋２，ｊ＋２）が構成される。
【００３３】
このように本実施形態においては、奇数列であるｊ＋１列の画素回路Ｐと、その次の偶数列であるｊ＋２列の画素回路Ｐとの間には、隔壁５４が設けられていない。また、奇数行であるｉ＋１行の画素回路Ｐと、その次の偶数行であるｉ＋２行の画素回路Ｐとの間にも、隔壁５４が設けられていない。したがって、図１３に示すように各画素回路Ｐを区切るように隔壁５４ａが設けられた従来の比較例に比べて、本実施形態の電気泳動表示装置１００は、表示面全体の面積において隔壁５４の占める面積の割合が少なくなる。言い換えれば、表示面全体の面積における画素領域Ｇの面積の割合が多くなり、表示コントラストを低下させることがない。
【００３４】
また、画素領域Ｇの面積の割合が多くなることにより、インクジェット方式により分散液５３を画素領域Ｇに充填する場合には、１画素領域Ｇあたりのショット数が増えるため、液滴サイズのバラツキの影響を受けにくくなり、より均一な充填が容易となる。なお、図４は、各構成要素を模式的に示しているため、画素回路Ｐにおける画素電極５１の大きさと画素領域Ｇの大きさの関係を規定するものではない。
【００３５】
本実施形態においては、偶数列であるｊ列の画素回路Ｐに接続されたデータ線３４は、その次の奇数列であるｊ＋１列の画素回路Ｐに接続されたデータ線３４と隣り合う位置に設けられ、ｊ列の画素回路Ｐに接続されたデータ線３４とｊ＋１列の画素回路Ｐに接続されたデータ線３４は、表示面側から見て、Ｙ方向に延在する隔壁５４の下方に配置されている。同様に、偶数列であるｊ＋２列の画素回路Ｐに接続されたデータ線３４は、その次の奇数列であるｊ＋３列の画素回路Ｐに接続されたデータ線３４と隣り合う位置に設けられ、ｊ＋２列の画素回路Ｐに接続されたデータ線３４とｊ＋３列の画素回路Ｐに接続されたデータ線３４は、表示面側から見て、Ｙ方向に延在する隔壁５４の下方に配置されている。
【００３６】
さらに、本実施形態においては、偶数行であるｉ列の画素回路Ｐに接続された走査線３２は、その次の奇数行であるｉ＋１列の画素回路Ｐに接続された走査線３２と隣り合う位置に設けられ、ｉ行の画素回路Ｐに接続された走査線３２とｉ＋１行の画素回路Ｐに接続された走査線３２は、表示面側から見て、Ｘ方向に延在する隔壁５４の下方に配置されている。同様に、偶数行であるｉ＋２列の画素回路Ｐに接続された走査線３２は、その次の奇数列であるｉ＋３列の画素回路Ｐに接続された走査線３２と隣り合う位置に設けられ、ｉ＋２列の画素回路Ｐに接続された走査線３２とｊ＋３列の画素回路Ｐに接続された走査線３２は、表示面側から見て、Ｘ方向に延在する隔壁５４の下方に配置されている。
【００３７】
以下、隔壁５４とデータ線３４及び走査線３２の位置関係についてさらに詳しく説明する。図５は、例えば、図４に示す領域Ｈにおける各画素回路Ｐの画素電極５１、選択スイッチＴs、保持容量Ｃｈ、及び配線と、隔壁５４のレイアウトを示す図である。また、図６は、図５におけるＡ−Ａ’線断面図である。なお、図５においては、理解を容易にするために隔壁５４が最下層位置に配置されているように示しているが、実際には隔壁５４は最上層に配置されている。また、図５及び図６においては、共通電極５２及び分散液５３は示していない。
【００３８】
図５及び図６に示すように、選択スイッチＴsは、素子基板２７上に形成された半導体層６６を備えており、半導体層６６のゲート領域は、ゲート絶縁膜２８ａを介して半導体層６６に対向配置された走査線３２と接続されている。また、半導体層６６のソース領域は、ゲート絶縁膜２８ａ及び第１層間絶縁膜２８ｂを介して、コンタクトホール７３によりデータ線３４と接続される。半導体層６６のドレイン領域は、ゲート絶縁膜２８ａ及び第１層間絶縁膜２８ｂを介して、コンタクトホール７２により配線６３に接続される。配線６３は保持容量Ｃｈの電極Ｌ１と接続される。
【００３９】
保持容量Ｃｈは、素子基板２７上に形成された半導体層である給電線兼保持容量電極６０を備えており、ゲート絶縁膜２８ａを介して給電線兼保持容量電極６０に対向配置された電極Ｌ１を備えている。電極Ｌ１は、第１層間絶縁膜２８ｂを介してコンタクトホール７０により配線６３に接続されている。配線６３は、第２層間絶縁膜２８ｃを介してコンタクトホール７１により画素電極５１に接続されている。
【００４０】
走査線３２はゲート絶縁膜２８ａ上に形成され、データ線３４は第１層間絶縁膜２８ｂ上に形成されている。そして、隔壁５４は、第２層間絶縁膜２８ｃを介して走査線３２の上方位置に形成され、第１層間絶縁膜２８ｂ及び第２層間絶縁膜２８ｃを介してデータ線３４の上方位置に形成されている。
【００４１】
以上のように、走査線３２及びデータ線３４は、隔壁５４の下方に配置されているので、走査線３２及びデータ線３４による電場が、画素領域Ｇにおける画素電極５１と共通電極５２間の電場に影響を与えることがなく、表示ムラを抑えることができる。
【００４２】
なお、選択スイッチＴｓの半導体層等やコンタクトホールによる段差が表示に影響を与える場合には、選択スイッチＴｓの半導体層等やコンタクトホールを隔壁５４の下方に配置するようにしてもよい。なお、必ずしも選択スイッチＴｓの半導体層等やコンタクトホールの両方を隔壁５４の下方に配置する必要はなく、表示に対する影響が大きい方を隔壁５４の下方に配置すればよい。
【００４３】
以上のように、本実施形態によれば、１画素領域Ｇ内に複数の画素電極５１を配置し、複数の画素回路Ｐを配置するように隔壁５４を構成したので、表示コントラストの低下を防ぐことができる。また、データ線３４及び走査線３２を隔壁５４の下方に配置したので、データ線３４及び走査線３２からの電場による表示ムラを抑制することができる。
【００４４】
＜第２実施形態＞
次に、本発明の第２実施形態について図７及び図８を参照しつつ説明する。本発明の隔壁５４により区画される画素領域Ｇの形状は、平面視において正方形に限られる訳ではなく、図７及び図８に示すように、横長の長方形形状であってもよい。また、長方形形状の画素領域Ｇは図８に示すように各行ごとに位置をずらすようにしてよい。このように構成した場合でも、１画素領域Ｇに複数の画素回路Ｐの画素電極５１を配置することができる。なお、図７及び図８においては、１画素領域Ｇに２画素回路Ｐを配置した例を示したが、画素回路Ｐの個数は２個に限定される訳ではない。
【００４５】
本実施形態においても、表示面全体の面積における隔壁５４の占める面積の割合を減らすことができ、表示コントラストの低下を防ぐことができる。また、本実施形態においても、データ線３４及び走査線３２を隔壁５４の下方に配置することにより、データ線３４及び走査線３２からの電場による表示ムラを抑制することができる。
また、本実施形態のように画素領域Ｇを横長に形成することにより、例えば本実施形態の電気泳動表示装置１００をタブレット等に適用し、重力方向が図７及び図８に示す方向になるようにタブレット等を立てて使用する際に、分散液５３中の白色粒子５６及び黒色粒子５７が重力で沈降することを防止することができる。
【００４６】
＜第３実施形態＞
次に、本発明の第３実施形態を図９及び図１０を参照しつつ説明する。隔壁５４によって区画される画素領域Ｇの形状は、矩形形状に限定される訳ではなく、図９及び図１０に示すように、六角形形状であってもよい。この場合には、画素電極５１を三角形状に形成すればよい。また、この場合には、隔壁５４は、ハニカム状に形成される。
【００４７】
本実施形態においても、表示面全体の面積における隔壁５４の占める面積の割合を減らすことができ、表示コントラストの低下を防ぐことができる。また、本実施形態のように画素領域Ｇを六角形状に形成することにより、分散液５３が充填し易くなるという利点もある。
【００４８】
本実施形態のように画素領域Ｇを六角形状とし、画素電極５１を三角形状に形成とした場合であっても、図１０に示すように、データ線３４及び走査線３２は格子状に配置することが可能である。
【００４９】
（変形例）
以下、上述した各実施形態の変形例について説明する。説明の重複を避けるため、上述した一実施形態との相違点を説明し、共通の構成などに係る説明は省略する。
第２実施形態においては、画素領域Ｇの形状を横長の長方形形状としたが、本発明はこの構成に限定される訳ではなく、縦長の長方形形状としてもよい。また、画素領域Ｇの形状は、上述した各実施形態で説明した形状に限定される訳ではなく、複数の画素回路Ｐの画素電極５１が配置可能であれば、どのような形状であってもよい。
【００５０】
（応用例）
本発明を応用した電子機器を以下に例示する。図１１及び図１２には、以上に例示した電気泳動表示装置１００を採用した電子機器の外観が図示されている。
図１１は、電気泳動表示装置１００を利用した携帯型の情報端末（電子書籍）３１０の斜視図である。図１１に示すように、情報端末３１０は、利用者が操作する操作子３１２と、表示部３１４に画像を表示する電気泳動表示装置１００とを含んで構成される。操作子３１２が操作されると表示部３１４の表示画像が変更される。
図１２は、電気泳動表示装置１００を利用した電子ペーパー３２０の斜視図である。図１２に示すように、電子ペーパー３２０は、可撓性の基板（シート）３２２の表面に形成された電気泳動表示装置１００を含んで構成される。
本発明が適用される電子機器は以上の例示に限定されない。例えば、携帯電話機や時計（腕時計），携帯型の音響再生装置，電子手帳，タッチパネル搭載型の表示装置など、各種の電子機器に本発明の電気光学装置を採用することが可能である。
また、本発明の表示媒体は、電気泳動媒体に限定されるものではなく、有機ＥＬ素子、液晶素子等にも適用可能である。したがって、本発明の電気光学装置は、電気泳動表示装置に限定されるものではなく、有機ＥＬ表示装置、無機ＥＬ表示装置、液晶表示装置、エレクトロクロミック表示装置等にも適用可能である。また、電子機器の例としても、有機ＥＬ表示装置あるいは液晶表示装置を用いた情報端末、携帯電話機や時計（腕時計），携帯型の音響再生装置，電子手帳，タッチパネル搭載型の表示装置、タブレット、電子ブック、スマートフォン等、各種の電子機器に本発明の隔壁型表示装置を採用することが可能である。
【符号の説明】
【００５１】
１０…電気泳動パネル、２０…制御回路、２７…素子基板、２８…絶縁膜、２８ａ…ゲート絶縁膜、２８ｂ…第１層間絶縁膜、２８ｃ…第２層間絶縁膜、２９…対向基板、３０…表示部、３２…走査線、３４…データ線、４０…駆動部、４２…走査線駆動回路、４４…データ線駆動回路、５０…電気泳動素子、５１…画素電極、５２…共通電極、５３…分散液、５４…隔壁、５５…分散媒、５６…白色粒子、５７…黒色粒子、１００…電気泳動表示装置、３１０…情報端末、３１２…操作子、３１４…表示部、３２０…電子ペーパー、Ｇ…画像領域、Ｐ…画像回路、Ｔs…選択スイッチ、Ｖｘ…データ信号。
【図１】
2016136176.tif 000003
【図２】
2016136176.tif 000004
【図３】
2016136176.tif 000005
【図４】
2016136176.tif 000006
【図５】
2016136176.tif 000007
【図６】
2016136176.tif 000008
【図７】
2016136176.tif 000009
【図８】
2016136176.tif 000010
【図９】
2016136176.tif 000011
【図１０】
2016136176.tif 000012
【図１１】
2016136176.tif 000013
【図１２】
2016136176.tif 000014
【図１３】
2016136176.tif 000015